(57)【要約】      （修正有）【課題】構造が非常に簡単でしかも極めてコンパクトとなり、叉、衛生的で非常に使い心地の良い哺乳瓶内のミルクを冷ます冷まし容器を提供する。【解決手段】氷水の入った広口真空二重瓶の容器本体１ａと、容器本体１ａの口元周りに螺着する環状の肩部材２と、肩部材２の上端に載置する回転リング体３と、回転リング体３の上端に載置し、容器本体１ａ内に挿入するネット状の有底筒体４と、有底筒体４内に挿入する熱いミルクの入った哺乳瓶５とを設け、哺乳瓶５と共に有底筒体４を容器本体１ａ内に装填し、回転リング体３を有底筒体４及び哺乳瓶５と共に肩部材２の周りに回転し、哺乳瓶５内のミルクを冷やす構成としている。【選択図】図３
0003166967.tif 000002
【実用新案登録請求の範囲】
【請求項１】
氷水の入った広口真空二重瓶の容器本体（１ａ）と、容器本体（１ａ）の口元周りに螺着する環状の肩部材（２）と、肩部材（２）の上端に載置する回転リング体（３）と、回転リング体（３）の上端に載置し、容器本体（１ａ）内に挿入するネット状の有底筒体（４）と、有底筒体（４）内に挿入する熱いミルクの入った哺乳瓶（５）とを設け、哺乳瓶（５）と共に有底筒体（４）を容器本体（１ａ）内に装填し、回転リング体（３）を有底筒体（４）及び哺乳瓶（５）と共に肩部材（２）の周りに回転し、哺乳瓶（５）内のミルクを冷やすことを特徴とした冷まし容器。
【考案の詳細な説明】
【技術分野】
【０００１】
本考案は、哺乳瓶に入った熱いミルクを乳児の飲みごろに冷ます冷まし容器に関するものである。
【背景技術】
【０００２】
従来、粉ミルクを入れた哺乳瓶の中に熱湯を入れた後に、乳児の飲みごろの温度までミルクを冷やす冷まし器（容器）としては、タンク３に設けた排出口６と給水口７とをポンプ１２に接続し、タンク３の中に哺乳瓶９を入れ、ポンプ１２の作用により、タンク３の水を循環する構造のものが実開平７−１２１４５号公報として存在する。
【先行技術文献】
【特許文献】
【０００３】
【特許文献１】実開平７−１２１４５号公報
【考案の概要】
【考案が解決しようとする課題】
【０００４】
ところが、この種の冷まし器（容器）では、ポンプの作用にて水を循環しているために、冷まし器（容器）全体の構造が複雑で、しかも大型化して持ち運びができず、叉、タンク内の水の量に十分気をつけなければならず、水の量が多いと哺乳瓶が浮き上がり傾いて哺乳瓶内に余計な水が入り、不衛生となる恐れが生じ、水の量が少ないと冷めにくいという問題点があった。
【０００５】
又、乳児がミルクをほしがる夜中では、台所まで行って、哺乳瓶内のミルクを仕上げなければならず、特に冬場では極めて煩わしい作業となり、更に、屋外等への外出時には、冷まし器を全く使用することが困難で、非常に使い勝手が悪いという問題点があった。
【課題を解決するための手段】
【０００６】
本考案は、氷水の入った広口真空二重瓶の容器本体１ａと、容器本体１ａの口元周りに螺着する環状の肩部材２と、肩部材２の上端に載置する回転リング体３と、回転リング体３の上端に載置し、容器本体１ａ内に挿入するネット状の有底筒体４と、有底筒体４内に挿入する熱いミルクの入った哺乳瓶５とを設け、哺乳瓶５と共に有底筒体４を容器本体１ａ内に装填し、回転リング体３を有底筒体４及び哺乳瓶５と共に肩部材２の周りに回転し、哺乳瓶５内のミルクを冷やす構成としている。
【考案の効果】
【０００７】
本考案は、従来の問題点を解決したものであって、構造が非常に簡単でしかも極めてコンパクトとなり、叉、衛生的で非常に使い心地の良い冷まし容器を提供するにある。
【図面の簡単な説明】
【０００８】
【図１】本考案実施例の斜視図。
【図２】本考案実施例の縦断面図。
【図３】本考案実施例の分解斜視図。
【図４】本考案の容器本体の別実施例を示す斜視図。
【図５】本考案の容器本体の別実施例を示す縦断面図。
【考案を実施するための形態】
【０００９】
冷まし容器１は、図２に示すように、広口である金属製真空二重瓶の容器本体１ａと、容器本体１ａの口元外周に螺着する環状の肩部材２と、肩部材２の上面にて回動する環状の回転リング体３と、回転リング体３の上端で保持され容器本体１ａ内に挿入されるネット状の有底筒体４と、有底筒体４内に装填される哺乳瓶５とから構成されている。
【００１０】
容器本体１ａは、金属製の広口の内筒６と、内筒６と間隔を隔てて囲んだ外筒７とから形成されている。
この容器本体１ａの内筒６は、ステンレス等の金属材料にて有底筒状に形成されており、その口元は、後述の有底筒体４が十分挿入可能な大きさの直径を有している。
この内筒６は、内筒胴体と、この内筒胴体の上端を上方に向けて内側にすぼめた内筒傾斜部と、この内筒傾斜部の上端より上方に向けて延びた内筒垂直部とが一体的に形成されている。この内筒６の内筒胴体は、図２に示すように、底拡がり状となっている。
【００１１】
容器本体１ａの外筒７は、内筒６と同一材料であるステンレス等の金属材料にて間隔を隔てて内筒６を囲むように有底筒状に形成されている。この外筒７は、外筒胴体と、この外筒胴体の上端を上方に向けて内側にすぼめた外筒下段傾斜部と、この外筒下段傾斜部の上端より上方に向けて延びた外筒下段垂直部と、この外筒下段垂直部の上端を上方に向けて内側にすぼめた外筒中段傾斜部と、この外筒中段傾斜部の上端より上方に向けて延びた外筒中段垂直部と、この外筒中段垂直部の上端を上方に向けて内側にすぼめた外筒上段傾斜部と、この外筒上段傾斜部の上端より上方に向けて延びた外筒上段垂直部とが一体的に形成されている。
【００１２】
この外筒７の外筒下段垂直部の外周壁には、後述の下部肩部材２ａを螺着する雌ネジ８が刻設されている。
外筒７の外筒上段垂直部と内筒６の内筒垂直部の上部とは、図２に示すように、重ね合わされて溶接され、容器本体１ａの口元とされており、この外筒７と内筒６との隙間は、真空とされている。
【００１３】
肩部材２は、下部肩部材２ａと上部肩部材２ｂとに分割されている。
肩部材２の下部肩部材２ａは、図２に示すように、合成樹脂材料にて環状に形成されており、その内径は容器本体１ａの内筒６の口元内径とほぼ同じ大きさに形成され、下部内周壁に外筒７の外筒下段垂直部の雌ネジ８に螺着する雄ネジ９が刻設されている。この下部肩部材２ａには、上部外周に後述の上部肩部材２ｂを螺着する第２雌ネジ１０が刻設されている。
【００１４】
上部肩部材２ｂは、図２に示すように、合成樹脂材料にて環状に形成されており、その内径は下部肩部材２ａの内径と同じ大きさに形成され、下部内周壁に下部肩部材２ａの第２雌ネジ１０に螺着する第２雄ネジ１１が刻設されている。上部肩部材２ｂの上面壁には、図２及び図３に示すように、後述の回転リング体３の下面壁に設けた環状突起１４がスムーズに回転させるための環状溝１２を設けている。この上部肩部材２ｂ上の回転リング体３がより滑りやすくするために、回転リング体３が接触する上部肩部材２ｂの下面に、摩擦を少なくして滑りやすい効果を上げる市販のジュラコン等の材料を張設してもよい。
【００１５】
回転リング体３は、図１乃至図３に示すように、合成樹脂材料にて環状に形成されており、後部に指を掛けて上部肩部材２ｂ上面周りに沿って回す指掛け部１３を設け、下端面に上部肩部材２ｂの環状溝１２内を摺動する環状突起１４を設けている。
回転リング体３の内径は、下部肩部材２ａ及び上部肩部材２ｂの各内径と同一で、後述の有底筒体４の胴体部を挿入できる大きさに形成されている。
回転リング体３の上端面内側には、後述の有底筒体４の環状フランジ部１６を載置する環状段差部１５を設けている。
【００１６】
有底筒体４は、図１乃至図３に示すように、ステンレス等の金属材料にて有底の筒状に形成されており、上端口元外側に環状フランジ部１６が一体成形されている。有底筒体４は、環状フランジ部１６と底を除いた胴体部をメッシュ状に形成されている。この有底筒体４の底がメッシュ状に形成されても何ら支障をきたすものではない。
回転リング体３の上部より挿入され、回転リング体の環状段差部１５に環状フランジ部１６を載置する有底筒体４は、その内径を後述の哺乳瓶５が挿入可能な大きさに形成されている。この有底筒体４の底内側には、後述の哺乳瓶５をわずかに斜めにセットできるように傾斜面とすることも可能である。
【００１７】
哺乳瓶５は、図２又は図３に示すように、熱を伝えやすいプラスチック製にて有底筒状に形成されている。
１７は、キャツプである。
【００１８】
室内での使用に際しては、乳児がミルクをほしがったとき、先ず、８０℃以上の熱湯を入れた電気ポット等と氷水を入れた冷まし容器１とを用意し、哺乳瓶５内に粉ミルクと電気ポット等からの熱湯を適量入れて、よく振り混ぜあわせた後に、この哺乳瓶５を有底筒体４内に装填し、哺乳瓶と共に有底筒体を回転リング体３上部より挿通し、肩部材２上端面に載置する。
【００１９】
次に、回転リング体３の指掛け部１３に指を掛けて、上部肩部材２ｂ上面に沿って右回り、又は左回りに約２分程回し続ける。この回し続けた結果、約８０℃であった哺乳瓶５内のミルクは、乳児の飲みごろである約４０℃程まで冷ますことができて、衛生的でしかも親のいらだちをも解消することができる。このとき哺乳瓶５の底内側を傾斜面とし、哺乳瓶５をわずかに斜めにセットすれば、容器本体１ａ内の氷水の水流が不規則の流れになってより一層哺乳瓶内のミルクの熱を早く吸収しやすくすることも可能である。
【００２０】
叉、屋外での使用に際しては、８０℃以上の熱湯を入れた携帯用魔法瓶と氷水を入れた容器本体１ａに直接蓋をするか又は図４乃至図５に示すように、容器本体に下部肩部材２ａを装着し、この下部肩部材に蓋体１８を螺着して、粉ミルクを入れた哺乳瓶と冷まし容器１の他の部材と共に別個に持参する。乳児がミルクをほしがったとき、先ず、携帯用魔法瓶内の熱湯を粉ミルクを入れた哺乳瓶内に適量入れ良く混ぜ合わせる。
【００２１】
次に、蓋体１８を取り外し氷水を入れた容器本体１ａに肩部材２、回転リング体３、有底筒体４、哺乳瓶５をセットした後に、回転リング体を回して哺乳瓶内のミルクを冷ますことができ、使い勝手のよいものとなる。この冷まし容器１には、氷水の替わりに熱湯を入れて冷めた飲み物を温めて、飲むことも可能である。
【００２２】
以上本考案の代表的と思われる実施例について説明したが、本考案は必ずしもこれら実施例構造のみに限定されるものではなく、本考案にいう前記の構成要件を備え、かつ、本考案にいう目的を達成し、本考案にいう効果を有する範囲内において適宜改変して実施することができるものである。
【符号の説明】
【００２３】
１…冷まし容器
１ａ…容器本体
２…肩部材
２ａ…下部肩部材
２ｂ…上部肩部材
３…回転リング体
４…有底筒体
５…哺乳瓶
６…内筒
７…外筒
８…雌ネジ
９…雄ネジ
１０…第２雄ネジ
１１…雌ネジ蓋部材
１２…環状溝
１３…指掛け部
１４…環状突起
１５…環状段差部
１６…環状フランジ部
１７…キャップ
１８…蓋体
【図１】
0003166967.tif 000003
【図２】
0003166967.tif 000004
【図３】
0003166967.tif 000005
【図４】
0003166967.tif 000006
【図５】
0003166967.tif 000007